(57)【特許請求の範囲】
【請求項１】
移動体と共に移動する無線装置と、室内に配置されるドアホン親機と、前記無線装置から受信した信号を前記ドアホン親機へと転送する玄関子機と、を有するドアホンシステムであって、
前記無線装置は、
前記玄関子機から送信された無線信号の、前記無線装置の位置における受信信号強度を計測するＲＳＳＩ計測部と、
計測された前記受信信号強度の値に基づいて、所定の通知信号を無線通信により前記玄関子機へ送信する通知生成部と、を有する、
ドアホンシステム。
【請求項２】
前記玄関子機は、
室外に、待ち受け信号を無線通信により定期的に送信する室外側通信部、を有し、
前記無線装置は、
前記玄関子機から送信された前記待ち受け信号を受信する装置通信部、を有し、
前記ＲＳＳＩ計測部は、
受信された前記待ち受け信号に対して、前記受信信号強度を計測する、
請求項１に記載のドアホンシステム。
【請求項３】
前記通知生成部は、
前記受信信号強度の値が所定の条件を満たしたとき、前記通知信号を前記玄関子機へ送信する、
請求項１に記載のドアホンシステム。
【請求項４】
前記通知生成部は、
前記受信信号強度の値が第１の値以下であることを条件として、前記通知信号を前記玄関子機へ送信する、
請求項３に記載のドアホンシステム。
【請求項５】
前記ドアホン親機は、
前記玄関子機から転送されてきた前記通知信号を受信する親機通信部と、
前記親機通信部が前記通知信号を受信したとき、所定の見守り処理を行う見守り処理部と、を有する、
請求項１に記載のドアホンシステム。
【請求項６】
前記通知信号は、前記受信信号強度の値を示し、
前記ドアホン親機は、
前記ドアホン親機に対して所定の操作が行われたとき、前記無線装置に対して前記通知信号の送信を要求する指示要求信号を前記玄関子機へ送信する指示要求生成部、を有し、
前記無線装置は、
前記玄関子機から転送されてきた前記指示要求信号を受信する装置通信部、を有し、
前記通知生成部は、
前記装置通信部が前記指示要求信号を受信したとき、前記通知信号を送信する、
請求項５に記載のドアホンシステム。
【請求項７】
前記見守り処理は、前記受信信号強度に対応する、前記玄関子機から前記無線装置までの距離を表示する処理を含む、
請求項５に記載のドアホンシステム。
【請求項８】
前記見守り処理は、前記受信信号強度の値が変化しない時間が第２の値以上であることを条件として、所定のアラーム動作を行う処理を含む、
請求項５に記載のドアホンシステム。
【請求項９】
前記見守り処理は、前記受信信号強度の値の変動継続時間が第３の値以上であることを条件として、所定のアラーム動作を行う処理を含む、
請求項５に記載のドアホンシステム。
【請求項１０】
移動体と共に移動する無線装置と、室内に配置されるドアホン親機と、前記無線装置から受信した信号を前記ドアホン親機へと転送する玄関子機と、を有するドアホンシステムであって、
前記玄関子機は、
前記無線装置から送信された無線信号の、前記玄関子機の位置における受信信号強度を計測するＲＳＳＩ計測部と、
計測された前記受信信号強度の値に基づいて、所定の通知信号を前記親機へ送信する通信部と、を有し、
前記親機は、
前記通知信号を受信するとアラーム出力を行う処理部を有する、
ドアホンシステム。
【請求項１１】
移動体と共に移動する無線装置と、室内に配置されるドアホン親機と、前記無線装置から受信した信号を前記ドアホン親機へと転送する玄関子機と、を有するドアホンシステムに用いられる無線装置であって、
前記玄関子機から送信された無線信号の、前記無線装置の位置における受信信号強度を計測するＲＳＳＩ計測部と、
計測された前記受信信号強度の値に基づいて、所定の通知信号を無線通信により前記玄関子機へ送信する通知生成部と、を有する、
無線装置。
【請求項１２】
移動体と共に移動する無線装置と、室内に配置されるドアホン親機と、前記無線装置から受信した信号を前記ドアホン親機へと転送する玄関子機と、を有するドアホンシステムを用いた監視方法であって、
前記無線装置において、前記玄関子機から送信された無線信号の、前記無線装置の位置における受信信号強度を計測するステップと、
前記無線装置において、計測された前記受信信号強度の値に基づいて、所定の通知信号を無線通信により前記玄関子機へ送信するステップと、を有する、
監視方法。
【請求項１３】
移動体と共に移動する無線装置と、室内に配置されるドアホン親機と、前記無線装置から受信した信号を前記ドアホン親機へと転送する玄関子機と、を有するドアホンシステムを用いた監視方法であって、
前記玄関子機において、前記無線装置から送信された無線信号の、前記玄関子機の位置における受信信号強度を計測するステップと、
前記玄関子機において、計測された前記受信信号強度の値に基づいて、所定の通知信号を前記親機へ送信するステップと、
前記親機において、前記通知信号を受信するとアラーム出力を行うステップと、を有する、
監視方法。
【発明の詳細な説明】
【技術分野】
【０００１】
本発明は、ドアホンシステム、ドアホンシステムに用いられる無線装置、およびドアホンシステムを用いた監視方法に関する。
【背景技術】
【０００２】
屋外で遊ぶ子供や庭を散歩する高齢者の様子を室内から見守る等、室内から室外に居る特定の人の様子の確認（以下「遠隔見守り」という）を行うために、監視カメラを室外に設置することが、従来行われている。ところが、室外の監視カメラと、カメラ映像の提示等を行う室内側装置との間に通信ケーブルを敷設することは、手間およびコストが掛かる。一方で、建物の外壁は高い電波シールド性を有するため、監視カメラと室内側装置とを無線通信で接続することは、困難である。
【０００３】
そこで、玄関に設置される玄関子機と、室内に設置されるドアホン親機と、を有するドアホンシステムに、遠隔見守りの機能を追加することが、提案されている（例えば、特許文献１参照）。
【０００４】
玄関子機は、通常、玄関の外壁の室外側に設置される。特許文献１に記載の技術（以下「従来技術」という）は、監視カメラを屋外に配置すると共に、玄関子機に、監視カメラから無線通信により送られてきた情報を受信する無線通信部を設ける。玄関子機は、監視カメラから受信した情報を、通常のドアホン機能で取得される情報と同様に、有線通信によりドアホン親機へ送信する。
【０００５】
このような従来技術によれば、遠隔見守りを、より簡単に行うことが可能となる。
【先行技術文献】
【特許文献】
【０００６】
【特許文献１】特開２００３−２８９５３４号公報
【発明の概要】
【発明が解決しようとする課題】
【０００７】
しかしながら、従来技術では、遠隔見守りを行う対象となるエリア（以下「対象エリア」という）が広い場合、多数の監視カメラを設置したり、広角レンズを用いた監視カメラを設置する必要がある。すると、遠隔見守りを行うユーザは、多数の映像や広角映像を継続的に目視で確認しなければならず、遠隔見守りの対象となる子供や高齢者の有無を判断したり、その様子を確認するのに、時間と手間が掛かる。したがって、対象エリアが広い場合、従来技術を用いて遠隔見守りを行うことは現実的ではない。
【０００８】
本発明の目的は、対象エリアが広い場合でも遠隔見守りを行うことができるドアホンシステム、無線装置、および監視方法を提供することである。
【課題を解決するための手段】
【０００９】
本開示のドアホンシステムは、移動体と共に移動する無線装置と、室内に配置されるドアホン親機と、前記無線装置から受信した信号を前記ドアホン親機へと転送する玄関子機と、を有するドアホンシステムであって、前記無線装置は、前記玄関子機から送信された無線信号の、前記無線装置の位置における受信信号強度を計測するＲＳＳＩ計測部と、計測された前記受信信号強度の値に基づいて、所定の通知信号を無線通信により前記玄関子機へ送信する通知生成部と、を有する。
【００１０】
本開示のドアホンシステムは、移動体と共に移動する無線装置と、室内に配置されるドアホン親機と、前記無線装置から受信した信号を前記ドアホン親機へと転送する玄関子機と、を有するドアホンシステムであって、前記玄関子機は、前記無線装置から送信された無線信号の、前記玄関子機の位置における受信信号強度を計測するＲＳＳＩ計測部、を有する。
【００１１】
本開示の無線装置は、移動体と共に移動する無線装置と、室内に配置されるドアホン親機と、前記無線装置から受信した信号を前記ドアホン親機へと転送する玄関子機と、を有するドアホンシステムに用いられる無線装置であって、前記玄関子機から送信された無線信号の、前記無線装置の位置における受信信号強度を計測するＲＳＳＩ計測部と、計測された前記受信信号強度の値に基づいて、所定の通知信号を無線通信により前記玄関子機へ送信する通知生成部と、を有する。
【００１２】
本開示の監視方法は、移動体と共に移動する無線装置と、室内に配置されるドアホン親機と、前記無線装置から受信した信号を前記ドアホン親機へと転送する玄関子機と、を有するドアホンシステムを用いた監視方法であって、前記無線装置において、前記玄関子機から送信された無線信号の、前記無線装置の位置における受信信号強度を計測するステップと、前記無線装置において、計測された前記受信信号強度の値に基づいて、所定の通知信号を無線通信により前記玄関子機へ送信するステップと、を有する。
【発明の効果】
【００１３】
本開示によれば、対象エリアが広い場合でも遠隔見守りを行うことができる。
【図面の簡単な説明】
【００１４】
【図１】本実施の形態に係るドアホンシステムの概要の一例を示す図
【図２】本実施の形態に係るドアホンシステムの各装置の構成の一例を示すブロック図
【図３】本実施の形態における対象情報テーブルの一例を示す図
【図４】本実施の形態に係る無線装置の動作の一例を示すフローチャート
【図５】本実施の形態に係るドアホン親機の動作の一例を示すフローチャート
【図６】本実施の形態の任意確認モードにおけるドアホンシステムの動作の一例を示すシーケンス図
【図７】本実施の形態の任意確認モードにおける装置間の信号の送受信タイミングの一例を示すタイミングチャート
【図８】本実施の形態の流出監視モードにおけるドアホンシステムの動作の一例を示すシーケンス図
【図９】本実施の形態の流出監視モードにおける装置間の信号の送受信タイミングの一例を示すタイミングチャート
【図１０】本実施の形態の距離表示／停滞監視／持ち出し監視モードにおけるドアホンシステムの動作の一例を示すシーケンス図
【図１１】本実施の形態の距離表示／停滞監視／持ち出し監視モードにおける装置間の信号の送受信タイミングの一例を示すタイミングチャート
【図１２】本実施の形態の呼び出し時におけるドアホンシステムの動作の一例を示すシーケンス図
【図１３】本実施の形態の呼び出し時における装置間の信号の送受信タイミングの一例を示すタイミングチャート
【発明を実施するための形態】
【００１５】
以下、本発明の一実施の形態について、図面を参照して詳細に説明する。
【００１６】
＜ドアホンシステムの概要＞
まず、本実施の形態に係るドアホンシステムの概要について説明する。
【００１７】
図１は、本実施の形態に係るドアホンシステムの概要の一例を示す図である。
【００１８】
図１に示すように、ドアホンシステム１００は、住宅である建物２００の室外に配置される、１つまたは複数の無線装置３００と、建物２００の玄関に配置される玄関子機４００と、建物２００の室内に配置されるドアホン親機５００と、を有する。本実施の形態における遠隔見守りの対象エリアは、建物２００を中心とする半径数百メートルのエリアである。
【００１９】
各無線装置３００と玄関子機４００との間では、無線通信１０１が可能となっている。玄関子機４００とドアホン親機５００との間では、有線通信１０２が可能となっている。玄関子機４００は、通常のドアホン機能に加えて、室外に待ち受け信号を定期的に送信する機能と、各無線装置３００とドアホン親機５００との間で情報の転送を行う機能と、を有する。
【００２０】
第１および第２の無線装置３００１、３００２は、それぞれ、見守り対象である子供２１０および高齢者２２０によりそれぞれ携行されている。すなわち、各無線装置３００は、室外において見守り対象と共に移動するようになっている。
【００２１】
各無線装置３００は、玄関子機４００から定期的に送信される上述の待ち受け信号を受信し、無線装置３００の位置における待ち受け信号の受信信号強度（ＲＳＳＩ：Received Signal Strength Indicator）を計測する。そして、各無線装置３００は、計測された受信信号強度に基づいて、所定の通知信号を、玄関子機４００へ送信する。玄関子機４００へ送信された通知信号は、玄関子機４００からドアホン親機５００へと転送される。
【００２２】
ドアホン親機５００は、通知信号を受信すると、見守り対象の様子を室内のユーザ２３０に通知するための見守り処理を実行する。
【００２３】
無線信号の受信信号強度は、送信位置から受信位置までの距離に反比例する。したがって、待ち受け信号の送信電力が既知である場合、無線装置３００における受信信号強度は、玄関子機４００から無線装置３００までのおおよその距離を示す。
【００２４】
玄関子機４００から無線装置３００までの距離は、つまり、玄関子機４００から見守り対象までの距離である。したがって、ドアホンシステム１００は、見守り対象の位置やその変化の状態に関する見守り処理を行うことができる。
【００２５】
ドアホンシステム１００が実行する遠隔見守りの動作モードには、任意確認モード、流出監視モード、距離表示モード、停滞監視モード、および持ち出し監視モードが含まれるものとする。
【００２６】
任意確認モードは、ユーザ２３０が、任意のタイミングで、見守り対象が対象エリア内の所定のエリアに位置するか否かを室内から確認するためのモードである。なお、所定のエリアとは、例えば、上記住宅の敷地よりも少し内側のエリアである。
【００２７】
流出監視モードは、見守り対象が上記所定のエリアから流出したときに、その旨をユーザ２３０に通知するためのモードである。
【００２８】
距離表示モードは、見守り対象の玄関子機からのおおよその距離を、室内で逐次表示するモードである。
【００２９】
停滞監視モードは、見守り対象の玄関子機からの距離が所定時間以上変化しないときに、その旨をユーザ２３０に通知するためのモードである。当該距離が所定時間以上変化しないときとは、例えば、見守り対象である高齢者２２０が、具合が悪くなって倒れ込んだときである。
【００３０】
持ち出し監視モードは、見守り対象の玄関子機からの距離が所定時間以上継続して変化するときに、その旨をユーザ２３０に通知するためのモードである。当該距離が所定時間以上継続して変化するときとは、例えば、見守り対象である、玄関脇に置いている自転車が、何者かに持ち出されたときである。
【００３１】
全ての無線装置３００に対して同一の動作モードが設定されてもよいし、無線装置３００毎に異なる動作モードが設定されてもよい。各装置に対する動作モードの設定は、各装置に備えられた操作インタフェースに対する操作により行われてもよいし、ドアホン親機５００からの制御信号により行われてもよい。
【００３２】
＜各装置の構成＞
次に、ドアホンシステム１００の各装置の構成について説明する。
【００３３】
図２は、ドアホンシステム１００の各装置の構成の一例を示すブロック図である。
【００３４】
図２において、無線装置３００は、識別情報格納部３１０、装置通信部３２０、ＲＳＳＩ計測部３３０、通知生成部３４０、およびアラーム出力部３５０を有する。
【００３５】
識別情報格納部３１０は、当該識別情報格納部３１０が設けられた無線装置３００の識別情報を、格納する。識別情報は、無線装置３００に設けられたキースイッチ等の操作インタフェース（図示せず）を介して、ユーザにより設定されたものであってもよいし、無線装置３００の工場出荷時に予め設定されたものであってもよい。
【００３６】
装置通信部３２０は、無線通信回路およびアンテナを有し、玄関子機４００との間で、双方向無線通信を行う。本実施の形態において、かかる無線通信の通信方式としては、建物の陰に無線装置３００が位置する場合においても無線での接続を確実に行うことができる電波回折性の高い通信方式であって、数百メートル程度の通信距離を実現することができる通信方式が採用される。そのような通信方式としては、例えば、９２０ＭＨｚ帯の標準規格であるＡＲＩＢ  ＳＴＤ−Ｔ１０８に準拠した、特定小電力無線通信や、ＤＥＣＴ（Digital Enhanced Cordless Telecommunications）の１９００ＭＨｚ帯の無線通信等が挙げられる。
【００３７】
なお、装置通信部３２０は、後述の通知信号を通知生成部３４０から入力されたとき、入力された通知信号を玄関子機４００へ送信する。装置通信部３２０は、玄関子機４００から待ち受け信号を受信したとき、受信した待ち受け信号を、ＲＳＳＩ計測部３３０へ出力する。装置通信部３２０は、玄関子機４００からＲＳＳＩ要求信号を受信したとき、受信したＲＳＳＩ要求信号を、通知生成部３４０へ出力する。装置通信部３２０は、玄関子機４００からアラーム指示信号を受信したとき、受信したアラーム指示信号を、アラーム出力部３５０へ出力する。
【００３８】
ここで、待ち受け信号とは、上述の通り、玄関子機４００が室外に向けて定期的に送信する信号である。ＲＳＳＩ要求信号とは、ドアホン親機５００が生成する信号であり、無線装置３００に対して受信信号強度の計測値の返信を要求する信号である。アラーム指示信号は、ドアホン親機５００が生成する信号であり、無線装置３００に対してアラームの出力を指示する信号である。
【００３９】
ＲＳＳＩ計測部３３０は、ＲＳＳＩ回路を含み、待ち受け信号が入力される毎に当該信号の受信信号強度を計測し、計測された値を通知生成部３４０へ出力する。
【００４０】
通知生成部３４０は、入力された受信信号強度の値を記録する。そして、通知生成部３４０は、設定されている動作モードと、記録された受信信号強度の値と、に応じて、ＲＳＳＩ通知信号あるいは流出通知信号（以下、「通知信号」と総称する）を玄関子機４００へ送信する。このとき、通知生成部３４０は、識別情報格納部３１０から無線装置３００の識別情報を読み出して、送信する通知信号に含める。
【００４１】
ここで、ＲＳＳＩ通知信号とは、計測された受信信号強度の値を示す信号である。流出通知信号とは、無線装置３００が上述の所定のエリアから流出したことを示す信号である。流出信号には、流出位置の把握が玄関子機４００側あるいはドアホン親機５００側で可能となるように、受信信号強度の値が含められてもよい。
【００４２】
なお、通知生成部３４０は、無線装置３００に備えられた呼び出しボタンが押下されたとき、室内に居るユーザを呼び出すための呼び出し信号を生成し、装置通信部３２０を介して玄関子機４００へ送信してもよい。通知生成部３４０は、呼び出し信号にも、無線装置３００の識別情報を含めることが望ましい。
【００４３】
アラーム出力部３５０は、ラウドスピーカ、発光素子、あるいは振動素子を有し、アラーム指示信号が入力されたとき、音、光、および振動のうち少なくとも１つの出力を含むアラーム動作を行う。
【００４４】
なお、アラーム出力部３５０は、上記呼び出し信号に対するドアホン親機５００からの応答信号が、装置通信部３２０において受信されたとき、呼び出し信号がドアホン親機５００に届いた旨を示す応答として、音、光、あるいは振動を出力してもよい。また、アラーム出力部３５０が行うアラーム動作は、見守り対象に対する注意喚起だけでなく、不審者等に対する威嚇や撃退を行うものであってもよい。
【００４５】
玄関子機４００は、室外側通信部４１０、室内側通信部４２０、および情報中継部４３０を有する。
【００４６】
室外側通信部４１０は、無線通信回路およびアンテナを有し、無線装置３００との間で、上述の双方向無線通信を行う。そして、室外側通信部４１０は、信号を無線装置３００から受信したとき、受信した当該信号を情報中継部４３０へ出力し、信号を情報中継部４３０から入力されたとき、入力された当該信号を無線装置３００へ送信する。また、室外側通信部４１０は、所定の送信電力の待ち受け信号を、室外に向けて所定の周期で定期的に送信する。
【００４７】
室内側通信部４２０は、有線通信回路および通信ケーブル接続部を有し、ドアホン親機５００との間で、双方向有線通信を行う。そして、室内側通信部４２０は、信号を情報中継部４３０から入力されたとき、入力された当該信号をドアホン親機５００へ送信し、信号をドアホン親機５００から受信したとき、受信した当該信号を情報中継部４３０へ出力する。
【００４８】
情報中継部４３０は、室外側通信部４１０と室内側通信部４２０との間で、信号の中継を行う。この中継される信号には、上述の、ＲＳＳＩ要求信号、アラーム指示信号、ＲＳＳＩ通知信号、および流出通知信号が含まれる。
【００４９】
なお、玄関子機４００は、図示しないが、呼び鈴ボタン、ドアホン親機５００から送られてきた音声を出力するラウドスピーカ、および、訪問者を撮影するためのカメラ等、従来の玄関子機機能を実現する構成を更に有する。また、玄関子機４００は、ドアホン親機５００やユーザが使用する携帯電話機等の情報端末（図示せず）との間で無線通信を行う無線通信部を、更に有してもよい。かかる無線通信は、例えば、上述のＤＥＣＴの規格に準拠した無線通信である。
【００５０】
ドアホン親機５００は、対象情報格納部５１０、親機通信部５２０、見守り処理部５３０、および指示要求生成部５４０を有する。
【００５１】
対象情報格納部５１０は、対象情報テーブルを格納している。対象情報テーブルは、無線装置３００を携行している見守り対象を示す見守り対象情報を、当該無線装置３００の識別情報に対応付けて記述したテーブルである。
【００５２】
図３は、対象情報テーブルの一例を示す図である。
【００５３】
図３に示すように、対象情報テーブル６１０は、無線装置３００の識別情報６１１に対応付けて、名前６１２、および画像６１３を記述している。
【００５４】
名前６１２は、見守り対象を表す名称である。画像６１３は、見守り対象の外観を示す画像であり、例えば、見守り対象を撮影した画像である。すなわち、名前６１２および画像６１３は、見守り対象情報である。なお、見守り対象毎に異なる動作モードが設定されている場合、対象情報テーブル６１０は、動作モードを示す情報を併せて記述してもよい。
【００５５】
対象情報テーブル６１０の内容は、例えば、タッチパネル付きディスプレイ、キースイッチ、およびラウドスピーカを含むユーザインタフェース（図示せず）を介して、ユーザにより設定される。あるいは、対象情報テーブル６１０の内容は、例えば、後述の情報端末からの撮影画像データの受信により、設定される。また、対象情報テーブル６１０の内容は、工場出荷時に予め設定されたものであってもよい。
【００５６】
このように、センサとしての無線装置３００のＩＤ（識別情報６１１）とその設置場所の写真（画像６１３）とを紐付けして設定することにより、どこのセンサが反応したかを、容易に把握することが可能となる。このため、例えば、子供２１０に持たせていたものを自転車に取り付けて使用する等、１つの無線装置３００を、多様な用途に切り替えて使用することができる。
【００５７】
図２の親機通信部５２０は、有線通信回路および通信ケーブル接続部を有し、玄関子機４００との間で、上述の双方向有線通信を行う。そして、親機通信部５２０は、上述の通知信号を玄関子機４００から受信したとき、受信した当該信号を見守り処理部５３０へ出力する。親機通信部５２０は、上述のＲＳＳＩ要求信号あるいはアラーム指示信号（以下、「指示要求信号」と総称する）を指示要求生成部５４０から入力されたとき、入力された当該信号を、玄関子機４００へ送信する。
【００５８】
見守り処理部５３０は、上述の通知信号が親機通信部５２０から入力されたとき、設定されている動作モードに応じた見守り処理を行う。例えば、流出監視モードにおいて、子供２１０が所定のエリアから流出したとする。この場合、見守り処理部５３０は、ドアホン親機５００に備えられた上述のラウドスピーカおよび発光ランプ等から、音および光のうち少なくとも１つの出力を含むアラーム動作を行う。そして、見守り処理部５３０は、対象情報格納部５１０に格納された対象情報テーブル６１０（図３参照）を参照して、子供２１０が携行する無線装置３００１の識別情報に対応付けられた、子供２１０の名前および画像を、上記ディスプレイに表示する。
【００５９】
なお、見守り処理部５３０は、上述の呼び出し信号が親機通信部５２０において受信されたとき、見守り対象の画像の表示およびアラーム出力を行った上で、上述の応答信号を、親機通信部５２０を介して玄関子機４００へ送信してもよい。
【００６０】
指示要求生成部５４０は、例えば、上述のユーザインタフェースを介して、ユーザから、様子確認操作および注意喚起操作を受け付ける。ここで、様子確認操作とは、ユーザが見守り対象の様子を確認するための所定の操作である。注意喚起操作は、ユーザが見守り対象に対して帰宅等の注意喚起を行うための所定の操作である。指示要求生成部５４０は、様子確認操作が行われたとき、ＲＳＳＩ要求信号を生成し、親機通信部５２０へ出力する。また、指示要求生成部５４０は、注意喚起操作が行われたとき、アラーム指示信号を生成し、親機通信部５２０へ出力する。
【００６１】
なお、指示要求生成部５４０は、様子確認操作および注意喚起操作を受け付ける際、見守り対象（つまり無線装置３００）の指定をユーザから受け付けてもよい。そして、指示要求生成部５４０は、上述の指示要求信号による指示要求先を、指定された見守り対象に対応する無線装置３００に限定してもよい。
【００６２】
指示要求先の無線装置３００を限定する手法としては、信号の送信先を玄関子機４００に対して指示する手法や、信号に指示対象となる無線装置３００の識別情報を含める手法が挙げられる。前者の場合、玄関子機４００の情報中継部４３０は、指示された無線装置３００に限定して、信号の送信を行う必要がある。後者の場合、無線装置３００の装置通信部３２０、通知生成部、あるいはアラーム出力部３５０は、信号に含まれる識別情報が、識別情報格納部３１０に格納された識別情報と一致するか否かを判断し、処理の実行の可否を決定する必要がある。
【００６３】
なお、ドアホン親機５００は、図示しないが、玄関子機４００とドアホン親機５００との間の通話や玄関ドアの施錠開錠を制御する制御部、訪問者との通話を開始するための通話開始ボタン等の、従来のドアホン親機機能を実現する構成を更に有する。また、ドアホン親機５００は、玄関子機４００あるいは上述の情報端末との間で無線通信を行う無線通信部を有してもよい。かかる無線通信は、例えば、ＤＥＣＴの規格に準拠した無線通信である。更に、ドアホン親機５００は、情報端末に対してビープ音や見守り対象情報の出力を指示する端末通信制御部を有してもよい。
【００６４】
なお、例えば、無線装置３００、玄関子機４００、およびドアホン親機５００は、それぞれ、ＣＰＵ（Central Processing Unit）、制御プログラムを格納したＲＯＭ（Read Only Memory）等の記憶媒体、およびＲＡＭ（Random Access Memory）等の作業用メモリを有する。また、無線装置３００、玄関子機４００、およびドアホン親機５００は、それぞれ、ハードウェア間を接続する信号線、および蓄電池や電源接続部等の電源供給部を有する。この場合、上記した各装置の各部の機能は、ＣＰＵが制御プログラムを実行することにより実現される。
【００６５】
このような構成を有するドアホンシステム１００は、玄関子機４００の室外の無線通信エリアを監視対象エリアとして、監視対象エリアにおける見守り対象の位置やその変化の状態を監視し、ユーザに必要な通知を行うことができる。
【００６６】
玄関子機４００の無線通信エリアは、例えば、上述の特定小電力無線通信を用いれば、半径数百メートルもの広いエリアとなる。したがって、ドアホンシステム１００を用いれば、このような広い対象エリアについて、遠隔見守りを行うことが可能である。
【００６７】
＜各装置の動作＞
次に、各装置の動作のうち本発明に関連する部分について説明する。なお、玄関子機４００の動作のうち本発明に関連する部分は、基本的に、上述の待ち受け信号の送信処理および信号転送処理のみであるため、これについての図示および詳細な説明を省略する。
【００６８】
図４は、無線装置３００の動作の一例を示すフローチャートである。
【００６９】
まず、ステップＳ１０１０において、ＲＳＳＩ計測部３３０は、装置通信部３２０を介して、待ち受け信号を受信する。
【００７０】
そして、ステップＳ１０２０において、ＲＳＳＩ計測部３３０は、待ち受け信号の受信信号強度（ＲＳＳＩ）の値を計測する。計測された値は、通知生成部３４０により記録される。
【００７１】
そして、ステップＳ１０３０において、通知生成部３４０は、任意確認モードが設定されているか否かを判断する。
【００７２】
通知生成部３４０は、任意確認モードが設定されている場合（Ｓ１０３０：ＹＥＳ）、処理をステップＳ１０４０へ進める。また、通知生成部３４０は、任意確認モード以外の動作モードが設定されている場合（Ｓ１０３０：ＮＯ）、処理を後述のステップＳ１０５０へ進める。
【００７３】
ステップＳ１０４０において、通知生成部３４０は、ＲＳＳＩ要求信号が装置通信部３２０において受信されたか否かを判断する。
【００７４】
通知生成部３４０は、ＲＳＳＩ要求信号が受信されていない場合（Ｓ１０４０：ＮＯ）、処理をステップＳ１０１０へ戻し、信号受信の有無の監視を継続する。また、通知生成部３４０は、ＲＳＳＩ要求信号が受信された場合（Ｓ１０４０：ＹＥＳ）、処理をステップＳ１０６０へ進める。
【００７５】
ステップＳ１０６０において、通知生成部３４０は、記録された受信信号強度の計測値を示すＲＳＳＩ通知信号を、装置通信部３２０を介して玄関子機４００へ送信する。そして、通知生成部３４０は、処理をステップＳ１０１０へ戻す。
【００７６】
なお、送信の対象となる受信信号強度の計測値としては、直近の複数の計測値の重み付き平均値等、無線装置３００の現在の距離を示す各種の値を採用することができる。
【００７７】
ステップＳ１０５０において、通知生成部３４０は、流出監視モードが設定されているか否かを判断する。
【００７８】
通知生成部３４０は、流出監視モードが設定されていない場合（Ｓ１０５０：ＮＯ）、処理をステップＳ１０６０へ進め、ＲＳＳＩ通知信号を送信する。また、通知生成部３４０は、流出監視モードが設定されている場合（Ｓ１０５０：ＹＥＳ）、処理をステップＳ１０７０へ進める。
【００７９】
ステップＳ１０７０において、通知生成部３４０は、記録された受信信号強度の計測値（ＲＳＳＩ）が、第１の値以下であるか否かを判断する。第１の値は、例えば、上記所定のエリアの外縁に無線装置３００が位置するときに、無線装置３００が受信する待ち受け信号の受信信号強度の値である。
【００８０】
なお、第１の値との比較の対象となる値としては、直近の複数の計測値の重み付き平均値等、無線装置３００が所定のエリアの外縁に位置することを示す各種の値を採用することができる。
【００８１】
通知生成部３４０は、受信信号強度の計測値が第１の閾値以下ではない場合（Ｓ１０７０：ＮＯ）、処理をステップＳ１０１０へ戻す。また、通知生成部３４０は、受信信号強度の計測値が第１の閾値以下である場合（Ｓ１０７０：ＹＥＳ）、処理をステップＳ１０８０へ進める。
【００８２】
ステップＳ１０８０において、通知生成部３４０は、流出通知信号を、装置通信部３２０を介して玄関子機４００へ送信する。そして、通知生成部３４０は、処理をステップＳ１０１０へ戻す。
【００８３】
なお、無線装置３００は、更に、アラーム出力部３５０において、アラーム指示信号の受信の有無を逐次判断し、アラーム指示信号が受信されたとき、その指示に従ってアラームを出力する処理を行う。
【００８４】
このような動作により、無線装置３００は、通知信号の送信等、設定されている動作モードに応じた処理を行うことができる。
【００８５】
図５は、ドアホン親機５００の動作の一例を示すフローチャートである。
【００８６】
まず、ステップＳ２０１０において、指示要求生成部５４０は、ユーザインタフェースにおいて様子確認操作が行われたか否かを判断する。
【００８７】
指示要求生成部５４０は、様子確認操作が行われていない場合（Ｓ２０１０：ＮＯ）、処理を後述のステップＳ２０２０へ進める。また、指示要求生成部５４０は、様子確認操作が行われた場合（Ｓ２０１０：ＹＥＳ）、処理をステップＳ２０３０へ進める。
【００８８】
ステップＳ２０３０において、指示要求生成部５４０は、ＲＳＳＩ要求信号を、親機通信部５２０を介して玄関子機４００へ送信する。この結果、ＲＳＳＩ要求信号に対する応答として、ＲＳＳＩ通知信号が親機通信部５２０で受信される。
【００８９】
そして、ステップＳ２０４０において、見守り処理部５３０は、受信されたＲＳＳＩ通知信号が示す受信信号強度の値（ＲＳＳＩ）が、上述の第１の閾値以下であるか否かを判断する。
【００９０】
見守り処理部５３０は、受信信号強度の値が第１の閾値以下ではない場合（Ｓ２０４０：ＮＯ）、処理を後述のステップＳ２０２０へ進める。また、見守り処理部５３０は、受信信号強度の値が第１の閾値以下である場合（Ｓ２０４０：ＹＥＳ）、処理をステップＳ２０５０へ進める。
【００９１】
ステップＳ２０５０において、見守り処理部５３０は、無線装置３００あるいは上述の情報端末に備えられたユーザインタフェースを用いて、音や光を出力する等のアラーム動作を行う。そして、見守り処理部５３０は、処理を後述のステップＳ２０６０へ進める。
【００９２】
ステップＳ２０２０において、見守り処理部５３０は、流出通知信号が親機通信部５２０において受信されたか否かを判断する。
【００９３】
見守り処理部５３０は、流出通知信号が受信された場合（Ｓ２０２０：ＹＥＳ）、処理をステップＳ２０５０へ進め、アラーム動作を行う。また、見守り処理部５３０は、流出通知信号が受信されていない場合（Ｓ２０２０：ＮＯ）、処理をステップＳ２０７０へ進める。
【００９４】
ステップＳ２０７０において、見守り処理部５３０は、ＲＳＳＩ通知信号が親機通信部５２０において受信されたか否かを判断する。
【００９５】
見守り処理部５３０は、ＲＳＳＩ通知信号が受信されていない場合（Ｓ２０７０：ＮＯ）、処理を後述のステップＳ２０６０へ進める。また、見守り処理部５３０は、ＲＳＳＩ通知信号が受信された場合（Ｓ２０７０：ＹＥＳ）、処理をステップＳ２０８０へ進める。
【００９６】
ステップＳ２０８０において、見守り処理部５３０は、受信されたＲＳＳＩ通知信号が示す受信信号強度の値（ＲＳＳＩ）を記録する。
【００９７】
そして、ステップＳ２０９０において、見守り処理部５３０は、ＲＳＳＩ通知信号の送信元の無線装置３００に対して距離表示モードが設定されているか否かを判断する。
【００９８】
見守り処理部５３０は、距離表示モードが設定されている場合（Ｓ２０９０：ＹＥＳ）、処理をステップＳ２１００へ進める。また、見守り処理部５３０は、距離表示モードが設定されていない場合（Ｓ２０９０：ＮＯ）、処理を後述のステップＳ２１１０へ進める。
【００９９】
ステップＳ２１００において、見守り処理部５３０は、受信されたＲＳＳＩ通知信号が示す受信信号強度の値（ＲＳＳＩ）に対応する距離を、上記ディスプレイに表示する。そして、見守り処理部５３０は、処理をステップＳ２１１０へ進める。
【０１００】
例えば、見守り処理部５３０は、受信信号強度が取り得る値の範囲を区分した３つの数値範囲と、「近い」「やや遠い」「遠い」等の大まかな距離の区分とを対応付けて記述したテーブルを予め格納している。そして、見守り処理部５３０は、かかるテーブルを参照して、受信信号強度の計測値に対応する距離の区分を取得し、取得した距離の区分を表示する。
【０１０１】
なお、テーブル参照の対象となる値としては、直近の複数の計測値の平均値等、無線装置３００のおおよその距離を示す各種の値を採用することができる。
【０１０２】
ステップＳ２１１０において、見守り処理部５３０は、ＲＳＳＩ通知信号の送信元の無線装置３００に対して停滞監視モードが設定されているか否かを判断する。
【０１０３】
見守り処理部５３０は、停滞監視モードが設定されている場合（Ｓ２１１０：ＹＥＳ）、処理をステップＳ２１２０へ進める。また、見守り処理部５３０は、停滞監視モードが設定されていない場合（Ｓ２１１０：ＮＯ）、処理を後述のステップＳ２１３０へ進める。
【０１０４】
ステップＳ２１２０において、見守り処理部５３０は、受信されたＲＳＳＩ通知信号が示す受信信号強度の値（ＲＳＳＩ）が、例えば±６ｄＢ以上変化しない時間が、第２の値を超えたか否かを判断する。第２の値は、例えば、３分である。
【０１０５】
なお、第２の値との比較の対象となる時間としては、直近の複数の計測値の平均値等、無線装置３００が一カ所に連続して留まっていることを示す各種の値を採用することができる。
【０１０６】
見守り処理部５３０は、受信信号強度の値が変化しない時間が第２の値を超えた場合（Ｓ２１２０：ＹＥＳ）、処理をステップＳ２０５０へ進め、アラーム動作を行う。また、見守り処理部５３０は、受信信号強度の値が変化しない時間が第２の値を超えていない場合（Ｓ２１２０：ＮＯ）、処理をステップＳ２１３０へ進める。
【０１０７】
ステップＳ２１３０において、見守り処理部５３０は、ＲＳＳＩ通知信号の送信元の無線装置３００に対して持ち出し監視モードが設定されているか否かを判断する。
【０１０８】
見守り処理部５３０は、持ち出し監視モードが設定されている場合（Ｓ２１３０：ＹＥＳ）、処理をステップＳ２１４０へ進める。また、見守り処理部５３０は、持ち出し監視モードが設定されていない場合（Ｓ２１３０：ＮＯ）、処理を後述のステップＳ２０６０へ進める。
【０１０９】
ステップＳ２１４０において、見守り処理部５３０は、受信されたＲＳＳＩ通知信号が示す受信信号強度の値（ＲＳＳＩ）が変化する時間（例えば、±６ｄＢ以上変化する時間）が、第３の値を超えたか否かを判断する。すなわち、見守り処理部５３０は、受信信号強度が変動し続ける時間（以下「変動継続時間」という）が、第３の値以上であるか否かを判断する。第３の値は、例えば、自転車が玄関子機４００から直近の交差点まで走行するのに要する時間に相当する値である。
【０１１０】
なお、変動継続時間としては、例えば、直近の複数の計測値の平均値等、無線装置３００が一カ所に連続して留まっていないことを示す、各種の値を採用することができる。
【０１１１】
見守り処理部５３０は、変動継続時間が第３の値以上である場合（Ｓ２１３０：ＹＥＳ）、処理をステップＳ２０５０へ進め、アラーム動作を行う。また、見守り処理部５３０は、変動継続時間が第３の値以上ではない場合（Ｓ２１３０：ＮＯ）、処理をステップＳ２０６０へ進める。
【０１１２】
なお、ステップＳ２０５０におけるアラーム動作は、動作モードの内容に応じて、あるいは、通知の対象となる無線装置３００に応じて、異なる内容であってもよい。すなわち、アラーム動作の内容は、どの見守り対象がどのような状態にある可能性があるのかを、示すものであることが望ましい。
【０１１３】
ステップＳ２０６０において、見守り処理部５３０は、ユーザ操作等により、遠隔見守りの終了を指示されたか否かを判断する。
【０１１４】
見守り処理部５３０は、遠隔見守りの終了を指示されていない場合（Ｓ２０６０：ＮＯ）、処理をステップＳ２０１０へ戻し、操作の有無および信号受信の有無の監視を継続する。また、見守り処理部５３０は、遠隔見守りの終了を指示された場合（Ｓ２０６０：ＹＥＳ）、一連の動作を終了する。なお、見守り処理部５３０は、遠隔見守りの終了の指示を、無線装置３００毎に受け付けてもよい。
【０１１５】
なお、ドアホン親機５００は、更に、指示要求生成部５４０において、様子確認操作および注意喚起操作の有無を逐次判断し、いずれかの操作が行われたとき、対応する指示要求信号を玄関子機４００へ送信する処理を行う。
【０１１６】
このような動作により、ドアホン親機５００は、アラーム動作や指示要求信号の送信等、設定されている動作モードに応じた処理を行うことができる。
【０１１７】
＜各動作モードにおけるシステム動作＞
次に、各動作モードにおけるドアホンシステム１００の動作の例について説明する。
【０１１８】
＜任意確認モード＞
図６は、任意確認モードにおけるドアホンシステム１００の動作の一例を示すシーケンス図である。また、図７は、任意確認モードにおける装置間の信号の送受信タイミングの一例を示すタイミングチャートである。
【０１１９】
図７に示すように、玄関子機４００には、無線装置３００への送信を行うことが可能な送信期間７１１が、所定の時間間隔Ｔ（例えば２秒）で設定されている。そして、玄関子機４００には、無線装置３００からの受信を行うための受信期間７１２が、各送信期間７１１の直後に設定されている。また、無線装置３００には、玄関子機４００の送信期間７１１に同期して、受信期間７１４が設定されている。
【０１２０】
玄関子機４００は、図６および図７に示すように、各送信期間７１１において、待ち受け信号を定期的に送信する（Ｓ３１０１）。
【０１２１】
そして、ユーザにより様子確認操作が行われると（Ｓ３１０２）、ドアホン親機５００は、ＲＳＳＩ要求信号を玄関子機４００へ送信する（Ｓ３１０３）。玄関子機４００は、送信期間７１１において、ＲＳＳＩ要求信号を無線装置３００へ送信する（Ｓ３１０４）。
【０１２２】
すると、無線装置３００は、受信した待ち受け信号の受信信号強度の値を示すＲＳＳＩ通知信号を、玄関子機４００の受信期間７１４に同期した送信期間７１５において、玄関子機４００へ送信する（Ｓ３１０５）。玄関子機４００は、受信したＲＳＳＩ通知信号を、ドアホン親機５００へ転送する（Ｓ３１０６）。ドアホン親機５００は、このＲＳＳＩ通知信号を、例えば、ＲＳＳＩ要求信号を送信した送信期間７１１の直後の受信期間７１２に受信する。
【０１２３】
ドアホン親機５００は、受信したＲＳＳＩ通知信号が示す受信信号強度の値（ＲＳＳＩ）を第１の値と比較する（Ｓ３１０７）。そして、ドアホン親機５００は、比較結果に応じて、見守り対象が所定のエリア内に居る旨の通知（在エリア内通知）、または、見守り対象が所定のエリア内に居ないことを通知するアラーム出力を行う（Ｓ３１０８）。
【０１２４】
このように、任意確認モードでは、ユーザは、任意のタイミングで、見守り対象が室外の所定のエリア内に位置するか否かを、室内から確認することができる。
【０１２５】
＜流出監視モード＞
図８は、流出監視モードにおけるドアホンシステム１００の動作の一例を示すシーケンス図であり、図６に対応するものである。また、図９は、流出監視モードにおける装置間の信号の送受信タイミングの一例を示すタイミングチャートであり、図７に対応するものである。図６および図７と対応する部分には同一番号を付し、これについての説明を省略する。
【０１２６】
流出監視モードでは、無線装置３００は、例えば、第１の値以下となる受信信号強度の値（ＲＳＳＩ）が、所定回数連続して計測されたという条件が満たされるか否かを判断する（Ｓ３２０１）。そして、無線装置３００は、かかる条件が満たされた場合、送信期間７１５において、流出通知信号を玄関子機４００へ送信する（Ｓ３２０２）。玄関子機４００は、受信した流出通知信号を、ドアホン親機５００へ転送する（Ｓ３２０３）。
【０１２７】
流出通知信号を受信したドアホン親機５００は、対応する見守り対象の画像を表示する等のアラーム出力を行う（Ｓ３２０４）。かかるアラーム出力に気付いたユーザにより注意喚起操作が行われると（Ｓ３２０５）、ドアホン親機５００は、アラーム指示信号を玄関子機４００へ送信する（Ｓ３２０６）。玄関子機４００は、送信期間７１１において、アラーム指示信号を無線装置３００へ送信する（Ｓ３２０７）。
【０１２８】
無線装置３００は、即座にアラーム出力を行ってもよいが、例えば、確認信号の返信（Ｓ３２０８、Ｓ３２０９）により、ドアホン親機５００から、音声信号を受信してもよい（Ｓ３２１０、Ｓ３２１１）。この場合、無線装置３００は、例えば、再度、確認信号を返信するとともに（Ｓ３２１２、Ｓ３２１３）、受信した音声信号を音声に変換して、アラームとして出力する（Ｓ３２１４）。なお、ドアホン親機５００は、「戻っておいで」等の音声の音声信号を予め格納していてもよいし、ユーザから音声入力を受け付けて音声信号に変換してもよい。ユーザから音声入力を受け付ける場合、上記注意喚起操作は、例えば、通話ボタンの押下操作とすればよい。
【０１２９】
また、無線装置３００は、流出通知信号を玄関子機４００へ送信する段階で、音声を出力する等のアラーム動作を行ってもよい。
【０１３０】
このように、流出監視モードでは、ユーザは、見守り対象が室外の所定のエリアから外へ移動したとき、室内においてその旨を即時に知ることができ、見守り対象に対して警告を行うことができる。
【０１３１】
＜距離監視／停滞監視／持ち出し監視モード＞
図１０は、距離表示モード、停滞監視モード、および持ち出し監視モードにおけるドアホンシステム１００の動作の一例を示すシーケンス図であり、図６および図８に対応するものである。また、図１１は、距離表示モード、停滞監視モード、および持ち出し監視モードにおける装置間の信号の送受信タイミングの一例を示すタイミングチャートであり、図７および図９に対応するものである。図６〜図９と対応する部分には同一番号を付し、これについての説明を省略する。
【０１３２】
距離監視／停滞監視／持ち出し監視モードでは、無線装置３００は、例えば、受信期間７１４において待ち受け信号を受信する毎に、直後の送信期間７１５において、ＲＳＳＩ通知信号を玄関子機４００へ送信する（Ｓ３３０１）。玄関子機４００は、受信したＲＳＳＩ通知信号を、ドアホン親機５００へ転送する（Ｓ３３０２）。
【０１３３】
ドアホン親機５００は、例えば、ＲＳＳＩ通知信号を受信する毎に、受信した信号が示す受信信号強度の計測値に基づいて、あるいは、記録しておいた直近の複数の計測値に基づいて、距離監視／停滞監視／持ち出し監視モードに対応する見守り処理を行う（Ｓ３３０３）。
【０１３４】
すなわち、ドアホン親機５００は、距離表示モードの場合、無線装置３００の距離を表示し、停滞監視モードの場合、無線装置３００が停滞しているか否かを判断する。また、ドアホン親機５００は、持ち出し監視モードの場合、上述の変動継続時間を算出し、第３の値と比較する。そして、ドアホン親機５００は、適宜、アラーム動作を行う。
【０１３５】
このように、距離監視／停滞監視／持ち出し監視モードでは、ユーザは、見守り対象の建物からのおおよその距離、見守り対象が停滞していないか、あるいは見守り対象が敷地内から持ち出されていないか、を、室内において逐次確認することができる。
【０１３６】
＜呼び出し操作時の動作＞
次に、動作モードによらず、緊急時等に無線装置３００からユーザを呼び出すためのドアホンシステム１００の動作について説明する。
【０１３７】
図１２は、呼び出し時におけるドアホンシステム１００の動作の一例を示すシーケンス図であり、図６、図８、および図１０に対応するものである。また、図１３は、距離表示モード、停滞監視モード、および持ち出し監視モードにおける装置間の信号の送受信タイミングの一例を示すタイミングチャートであり、図７、図９、および図１１に対応するものである。図６〜図１１と対応する部分には同一番号を付し、これについての説明を省略する。
【０１３８】
見守り対象あるいはその至近に居る他の人によって呼び出しボタンが押下されると（Ｓ３４０１）、無線装置３００は、送信期間７１５において、呼び出し信号を玄関子機４００へ送信する（Ｓ３４０２）。玄関子機４００は、受信した呼び出し信号を、ドアホン親機５００へ転送する（Ｓ３４０３）。
【０１３９】
ドアホン親機５００は、例えば、呼び出し信号を受信すると、対応する見守り対象の画像を表示する等のアラーム出力を行う（Ｓ３４０４）。かかるアラーム出力に気付いたユーザは、例えば、室外の見守り対象の元へ駆け付けることができる。
【０１４０】
ドアホン親機５００は、応答信号を玄関子機４００へ送信する（Ｓ３４０５）。なお、ドアホン親機５００は、上述のユーザインタフェースに対する所定の操作が行われたことを条件として、応答信号を送信するようにしてもよい。玄関子機４００は、送信期間７１１において、応答信号を無線装置３００へ送信する（Ｓ３４０６）。
【０１４１】
無線装置３００は、応答信号を受信すると、音等により、応答出力を行う（Ｓ３４０７）。これにより、見守り対象あるいはその至近に居る他の人は、呼び出しが適切に行われていることを確認することができる。
【０１４２】
このように、ドアホンシステム１００では、室外に居る見守り対象側から室内に居るユーザ側への呼び出しを、簡単に行うことができる。
【０１４３】
＜本実施の形態の効果＞
以上のように、本実施の形態に係るドアホンシステム１００は、無線装置３００において、玄関子機４００から室外に送信される信号の受信信号強度を計測する。そして、本実施の形態に係るドアホンシステム１００は、受信信号強度の計測値あるいは計測値に基づく判断結果を示す信号を、玄関子機４００を介して、無線装置３００からドアホン親機５００へと送信する。
【０１４４】
これにより、本実施の形態に係るドアホンシステム１００は、玄関子機４００の室外の無線通信エリアを監視対象エリアとして、監視対象エリアにおける見守り対象の位置やその変化の状態を監視し、ユーザに必要な通知を行うことができる。したがって、本実施の形態に係るドアホンシステム１００は、対象エリアが広い場合でも、遠隔見守りを行うことができる。
【０１４５】
また、本実施の形態に係るドアホンシステム１００は、多数の監視カメラを設置する場合に比べて、簡単かつ安価に構築することができる。
【０１４６】
また、本実施の形態に係るドアホンシステム１００は、監視カメラ等の設置型の設備を室外に必要としないため、住宅の敷地外の道路、公園、駐車場等についても、監視エリアとすることができる。
【０１４７】
また、本実施の形態に係るドアホンシステム１００は、室外の無線通信に、上述の９２０ＭＨｚ帯の無線通信を採用しているため、多数の無線装置３００を配置することにより、住宅の敷地全体等、より広い領域を満遍なく監視範囲としてカバーすることができる。
【０１４８】
＜本実施の形態の変形例＞
なお、ドアホンシステム１００は、上述の複数の動作モードのうちの一部のみについて動作するものであってもよい。また、各動作モードにおける見守り処理の内容は、上述の例に限定されない。
【０１４９】
例えば、見守り対象が所定のエリアから流出したか否かの判断は、玄関子機４００あるいはドアホン親機５００において行われてもよい。この場合、無線装置３００は、受信信号強度の測定値を、定期的に、玄関子機４００へ送信する必要がある。
【０１５０】
また、距離の判断、停滞の有無の判断、変動継続時間の算出、および変動継続時間についての判断は、無線装置３００あるいは玄関子機４００において行われてもよい。この場合、無線装置３００あるいは玄関子機４００は、判断結果あるいは算出結果を、ドアホン親機５００へ送信する必要がある。
【０１５１】
また、見守り処理は、例えば、夜間のみアラーム出力を行う等の、時間的条件に応じた処理であったり、セキュリティセンターへ連絡する等の他の各種処理を含む処理であってもよい。
【０１５２】
また、無線装置３００は、加速度センサ、地磁気センサ、振動センサ等の各種センサを備えていてもよい。この場合、ドアホンシステム１００は、例えば、停滞監視モードや持ち出し監視モードにおいて、センサの検出結果と受信信号強度との組み合わせにより、停滞あるいは変動継続時間に関する判断を行ってもよい。
【０１５３】
また、ドアホンシステム１００の見守り対象は、上述の例に限定されない。例えば、見守り対象は、犬や猫等の動物や、自転車や車等の乗り物等、人以外の移動体であってもよい。
【０１５４】
また、ドアホンシステム１００は、玄関子機４００において、無線端末３００から送信される無線信号の玄関子機４００における受信信号強度を計測し、ドアホン親機５００へ送信してもよい。この場合、玄関子機４００は、かかる受信信号強度を計測するＲＳＳＩ計測部を備える必要がある。
【０１５５】
また、玄関子機４００は、単に情報を転送するのではなく、受信した信号に基づいて、別の信号を送信してもよい。例えば、玄関子機４００は、識別情報を、同じ無線装置３００を指定する別の識別情報で書き換える等して、無線装置３００から受信した信号とは形態が異なる信号を、ドアホン親機５００へ送信してもよい。
【０１５６】
また、ドアホンシステム１００は、ＤＥＣＴ接続等により、固定電話や携帯電話機と連動するように構成されてもよい。この場合、例えば、ドアホンシステム１００は、遠隔見守りの動作モードや、緊急呼び出し時において、予め登録された電話番号の相手先に対して対応する通知を行ってもよい。
【０１５７】
また、各無線装置３００と玄関子機４００との間の通信方式、および、玄関子機４００とドアホン親機５００との間の通信方式は、上述の例に限定されるものではなく、用途に適合した他の各種通信方式を採用することができる。
【０１５８】
また、見守り（監視）の対象となる場所は、室外に限定されない。また、ドアホン親機が配置される場所は、室内に限定されない。例えば、無線装置３００は、病院内において、廊下を歩行する患者によって携帯されてもよい。また、ドアホン親機４００は、外出中のユーザが携帯する携帯電話機等、室外に配置されていてもよい。
【０１５９】
＜本開示のまとめ＞
本開示のドアホンシステムは、移動体と共に移動する無線装置と、室内に配置されるドアホン親機と、前記無線装置から受信した信号を前記ドアホン親機へと転送する玄関子機と、を有するドアホンシステムであって、前記無線装置は、前記玄関子機から送信された無線信号の、前記無線装置の位置における受信信号強度を計測するＲＳＳＩ計測部と、計測された前記受信信号強度の値に基づいて、所定の通知信号を無線通信により前記玄関子機へ送信する通知生成部と、を有する。
【０１６０】
なお、上記ドアホンシステムにおいて、前記玄関子機は、室外に、待ち受け信号を無線通信により定期的に送信する室外側通信部、を有し、前記無線装置は、前記玄関子機から送信された前記待ち受け信号を受信する装置通信部、を有し、前記ＲＳＳＩ計測部は、受信された前記待ち受け信号に対して、前記受信信号強度を計測してもよい。
【０１６１】
また、上記ドアホンシステムにおいて、前記通知生成部は、前記受信信号強度の値が所定の条件を満たしたとき、前記通知信号を前記玄関子機へ送信してもよい。
【０１６２】
また、上記ドアホンシステムにおいて、前記通知生成部は、前記受信信号強度の値が第１の値以下であることを条件として、前記通知信号を前記玄関子機へ送信してもよい。
【０１６３】
また、上記ドアホンシステムにおいて、前記ドアホン親機は、前記玄関子機から転送されてきた前記通知信号を受信する親機通信部と、前記親機通信部が前記通知信号を受信したとき、所定の見守り処理を行う見守り処理部と、を有してもよい。
【０１６４】
また、上記ドアホンシステムにおいて、前記通知信号は、前記受信信号強度の値を示し、前記ドアホン親機は、前記ドアホン親機に対して所定の操作が行われたとき、前記無線装置に対して前記通知信号の送信を要求する指示要求信号を前記玄関子機へ送信する指示要求生成部、を有し、前記無線装置は、前記玄関子機から転送されてきた前記指示要求信号を受信する装置通信部、を有し、前記通知生成部は、前記装置通信部が前記指示要求信号を受信したとき、前記通知信号を送信してもよい。
【０１６５】
また、上記ドアホンシステムにおいて、前記見守り処理は、前記受信信号強度に対応する、前記玄関子機から前記無線装置までの距離を表示する処理を含んでもよい。
【０１６６】
また、上記ドアホンシステムにおいて、前記見守り処理は、前記受信信号強度の値が変化しない時間が第２の値以上であることを条件として、所定のアラーム動作を行う処理を含んでもよい。
【０１６７】
また、上記ドアホンシステムにおいて、前記見守り処理は、前記受信信号強度の値の変動継続時間が第３の値以上であることを条件として、所定のアラーム動作を行う処理を含んでもよい。
【０１６８】
本開示のドアホンシステムは、移動体と共に移動する無線装置と、室内に配置されるドアホン親機と、前記無線装置から受信した信号を前記ドアホン親機へと転送する玄関子機と、を有するドアホンシステムであって、前記玄関子機は、前記無線装置から送信された無線信号の、前記玄関子機の位置における受信信号強度を計測するＲＳＳＩ計測部、を有する。
【０１６９】
本開示の無線装置は、移動体と共に移動する無線装置と、室内に配置されるドアホン親機と、前記無線装置から受信した信号を前記ドアホン親機へと転送する玄関子機と、を有するドアホンシステムに用いられる無線装置であって、前記玄関子機から送信された無線信号の、前記無線装置の位置における受信信号強度を計測するＲＳＳＩ計測部と、計測された前記受信信号強度の値に基づいて、所定の通知信号を無線通信により前記玄関子機へ送信する通知生成部と、を有する。
【０１７０】
本開示の、監視方法は、移動体と共に移動する無線装置と、室内に配置されるドアホン親機と、前記無線装置から受信した信号を前記ドアホン親機へと転送する玄関子機と、を有するドアホンシステムを用いた監視方法であって、前記無線装置において、前記玄関子機から送信された無線信号の、前記無線装置の位置における受信信号強度を計測するステップと、前記無線装置において、計測された前記受信信号強度の値に基づいて、所定の通知信号を無線通信により前記玄関子機へ送信するステップと、を有する。
【産業上の利用可能性】
【０１７１】
本発明は、対象エリアが広い場合でも遠隔見守りを行うことができるドアホンシステム、無線装置、および監視方法として有用である。
【符号の説明】
【０１７２】
１００  ドアホンシステム
２００  建物
３００  無線装置
３１０  識別情報格納部
３２０  装置通信部
３３０  ＲＳＳＩ計測部
３４０  通知生成部
３５０  アラーム出力部
４００  玄関子機
４１０  室外側通信部
４２０  室内側通信部
４３０  情報中継部
５００  ドアホン親機
５１０  対象情報格納部
５２０  親機通信部
５３０  見守り処理部
５４０  指示要求生成部
【要約】
【課題】対象エリアが広い場合でも遠隔見守りを行うことができるドアホンシステムを提供すること。
【解決手段】ドアホンシステム１００は、移動体と共に移動する無線装置３００と、室内に配置されるドアホン親機５００と、無線装置３００から受信した信号をドアホン親機５００へと転送する玄関子機４００と、を有するシステムであって、無線装置３００は、玄関子機４００から送信された無線信号の、無線装置３００の位置における受信信号強度を計測するＲＳＳＩ計測部３３０と、計測された受信信号強度の値に基づいて、所定の通知信号を無線通信により玄関子機４００へ送信する通知生成部３４０と、を有する。
【選択図】図２【図１】
0005870434.tif 000002
【図２】
0005870434.tif 000003
【図３】
0005870434.tif 000004
【図４】
0005870434.tif 000005
【図５】
0005870434.tif 000006
【図６】
0005870434.tif 000007
【図７】
0005870434.tif 000008
【図８】
0005870434.tif 000009
【図９】
0005870434.tif 000010
【図１０】
0005870434.tif 000011
【図１１】
0005870434.tif 000012
【図１２】
0005870434.tif 000013
【図１３】
0005870434.tif 000014